(57)【要約】【課題】ディスプレイの設置状態を横長から縦長へ変更させる際に、高さ調整動作なしで、変更前後のディスプレイの最上端の高さ変動を少なくすることができる、ディスプレイ用スタンドが提供される。【解決手段】ディスプレイ１を懸架するディスプレイ用スタンド１００であって、前記ディスプレイ１を着脱せずに横長に支持された横長状態と縦長に支持された縦長状態とを変更可能な構成であり、前記ディスプレイ１が前記横長状態から前記縦長状態に変更された場合、変更後のディスプレイの中心Ｃ'の高さが、変更前のディスプレイの中心Ｃの高さよりも低くなることを特徴とするディスプレイ用スタンド。【選択図】図１
2019219540.tif 000002
【特許請求の範囲】
【請求項１】
ディスプレイを懸架するディスプレイ用スタンドであって、
前記ディスプレイを着脱せずに横長に支持された横長状態と縦長に支持された縦長状態とを変更可能な構成であり、
前記ディスプレイが前記横長状態から前記縦長状態に変更された場合、変更後のディスプレイの中心の高さが、変更前のディスプレイの中心の高さよりも低くなることを特徴とする
ディスプレイ用スタンド。
【請求項２】
前記ディスプレイの変更前の横長状態と変更後の縦長状態において、前記ディスプレイの最上端の高さが変わらないことを特徴とする
請求項１に記載のディスプレイ用スタンド。
【請求項３】
支柱を支持するベース部を備え、
当該ディスプレイ用スタンドが設置された地面からの前記ディスプレイの最上端の高さＨにかかる荷重をＦ、
当該ディスプレイ用スタンドに前記ディスプレイを含めた重量をＭｇ、とすると、
前記ベース部の奥行方向における重心位置から背面側の奥行長さＤｂは、
下記式（１）を満たすことを特徴とする
Ｆ・Ｈ＜Ｍｇ・Ｄｂ  …式（１）
請求項２に記載のディスプレイ用スタンド。
【請求項４】
支柱を有するスタンドユニットと、
前記ディスプレイの背面に取りつけられ、前記ディスプレイを回転させることで前記ディスプレイの状態を変更させる回転ジョイントユニットと、を備えており、
前記回転ジョイントユニットは、前記ディスプレイとともに回転する可動部と、前記スタンドユニットに固定される固定部とを有しており、
前記可動部は、前記ディスプレイの背面から、垂直に起立する複数の固定部材を備え、
前記固定部は、前記複数の固定部材と嵌合して係合する溝状の複数のレール部が形成されている、ガイド板を備え、
前記可動部の前記複数の固定部材のうち、第１の固定部材は、前記複数のレール部のうち直線状の第１のレール部に係合して前記ディスプレイ回転時に直線状に移動可能であり、第２の固定部材は、前記複数のレール部の曲線の第２のレール部に係合して前記ディスプレイ回転時に前記曲線に沿って移動可能であることを特徴とする
請求項１乃至３のいずれか一項に記載のディスプレイ用スタンド。
【請求項５】
前記複数の固定部材は、第３の固定部材を有し、
前記ガイド板に形成される前記複数のレール部は、第３のレール部を有しており、
前記第１のレール部は、直線状であって垂直に近い方向に延伸し、
前記第２のレール部は、前記第１のレール部と対向する曲線状であり、
前記第３のレール部は、前記第１のレール部及び前記第２のレール部と連接する直線状であって前記第１のレール部と同じ長さであり、
前記第３の固定部材は、前記第３のレール部に係合して、前記ディスプレイ回転時に直線状に移動可能であり、
回転により前記ディスプレイを前記横長状態から前記縦長状態に変更するときに、前記第１の固定部材は前記第１のレール部に沿って下がるように移動し、前記第２の固定部材が前記第２のレール部に沿って上がるように移動することを特徴とする
請求項４に記載のディスプレイ用スタンド。
【請求項６】
前記ディスプレイ回転時に曲線状の前記第２のレール部に沿って移動する前記第２の固定部材には、付勢部材によって張力が付与されていることを特徴とする
請求項４又は５に記載のディスプレイ用スタンド。
【請求項７】
前記ディスプレイを着脱せずに前記ディスプレイの高さを調整可能な構成であることを特徴とする
請求項４乃至６のいずれか一項に記載のディスプレイ用スタンド。
【請求項８】
前記スタンドユニットにおいて、前記支柱に接続機構が取りつけられており、
前記回転ジョイントユニットに嵌合用フック対が設けられており、
前記スタンドユニットの前記接続機構に、前記嵌合用フック対と嵌合可能な複数の嵌合穴対が設けられており、
前記回転ジョイントユニットの前記嵌合用フック対が、前記スタンドユニットのいずれかの嵌合穴対に取り付けられることで、前記回転ジョイントユニットは、前記スタンドユニットによって保持され、
前記嵌合用フック対を、前記スタンドユニットの前記接続機構に設けられた前記複数の嵌合穴対の中から１つの前記嵌合穴対を選択して嵌合させることによって、前記回転ジョイントユニットが取り付けられた前記ディスプレイの高さを調整できることを特徴とする
請求項７に記載のディスプレイ用スタンド。
【請求項９】
前記スタンドユニットは、前記ディスプレイの高さを調整する際、前記ディスプレイ及び前記回転ジョイントユニットの荷重を支え、高さ調整動作に必要な力を少なくするダンパーを有し、
前記接続機構が、高さ方向に変位可能な前記ダンパーを介して前記支柱と組み付けられることで、前記回転ジョイントユニットが取り付けられた前記ディスプレイの荷重を支えることを特徴とする
請求項８に記載のディスプレイ用スタンド。
【請求項１０】
ディスプレイと、
請求項４乃至９のいずれか一項に記載のディスプレイ用スタンドと、を備え、
前記ディスプレイは、背面に取りつけられた回転ジョイントユニットとともにディスプレイユニットを構成し、
前記回転ジョイントユニットによって、前記ディスプレイを前記横長状態と前記縦長状態とを回転自在であり、
前記スタンドユニットによって、前記ディスプレイユニットの高さを調整自在である、ことを特徴とする
ディスプレイスタンドシステム。
【発明の詳細な説明】
【技術分野】
【０００１】
本発明は、ディスプレイ用スタンド、及び該ディスプレイ用スタンドとディスプレイとを備えるディスプレイスタンドシステムに関する。
【背景技術】
【０００２】
表示装置や電子黒板、又はアナログのカンバス等のディスプレイを懸架する汎用のスタンドにおいて、ディスプレイを着脱して高さ調整や、ディスプレイの設置状態（画面向き）を横長と縦長に変更することは一般的であるが、ディスプレイを着脱せずにディスプレイの高さ調整可能であって、ディスプレイを縦長と横長とで回転可能な構成も知られている。
【０００３】
例えば、特許文献１では、カンバスが横長に支持された状態から縦長に支持された状態に回転させる構成として、カンバスの中心を軸にして回転するスタンドが開示されている。この構成では、カンバスの中心を軸にして回転するので、カンバスの最上部が回転前の横長の状態よりも回転後の縦長の状態の方が高くなる。
【発明の概要】
【発明が解決しようとする課題】
【０００４】
しかし、特許文献１では、カンバスを縦長の状態にした際、カンバス＋スタンドの全長が高くなりすぎる場合があり、スタンドが倒れやすくなってしまう。そのため、スタンドを倒れないように設計するには、スタンドベースを大きくする必要があった。また、横長の状態で書きやすい高さに設定していると、縦長の状態にした場合に、高すぎて書きにくくなってしまう。
【０００５】
また、特許文献１の構成のスタンドでは、カンバスの高さも回転動作とは別に昇降可能であって、回転後にカンバスの高さを低くすることで、スタンドを倒れにくくすることもできるが、使用者がカンバスの高さを低くすることを忘れてしまう可能性がある。
【０００６】
本発明は、ディスプレイの設置状態を横長から縦長へ回転させる際に、高さ調整動作なしで、回転前後のディスプレイの最上端の高さ変動を少なくすることができる、ディスプレイ用スタンドを提供することを目的とする。
【課題を解決するための手段】
【０００７】
上記課題を解決するため、本発明の一態様では、
ディスプレイを懸架するディスプレイ用スタンドであって、
前記ディスプレイを着脱せずに横長に支持された横長状態と縦長に支持された縦長状態とを変更可能な構成であり、
前記ディスプレイが前記横長状態から前記縦長状態に変更された場合、変更後のディスプレイの中心の高さが、変更前のディスプレイの中心の高さよりも低くなることを特徴とする
ディスプレイ用スタンド、を提供する。
【発明の効果】
【０００８】
一態様によれば、ディスプレイ用スタンドにおいて、高さ調整動作なしで、ディスプレイの設置状態を横長から縦長へ回転させる際に、回転前後のディスプレイの最上端の高さ変動を少なくすることができる。
【図面の簡単な説明】
【０００９】
【図１】本発明の実施形態の一例のディスプレイスタンドシステムを示す図。
【図２】比較例のディスプレイスタンドシステムを示す図。
【図３】本発明と比較例のディスプレイスタンドシステムの全体斜視図。
【図４】本発明のディスプレイスタンドシステムの分解図を示す図。
【図５】（ａ）はディスプレイに対して回転ジョイントユニットを取りつける図、（ｂ）はディスプレイユニットの背面図。
【図６】ディスプレイユニットを、スタンドユニットに取り付ける状態を示す図。
【図７】ディスプレイユニットの裏面の回転ジョイントユニットの三重構造を説明する分解斜視図。
【図８】回転ジョイントユニットの可動部と固定部とを分解した仮想分解説明図。
【図９】回転ジョイントユニットに含まれる引っ張りスプリングを示す図。
【図１０】回転ジョイントユニットの回転の説明図。
【図１１】ディスプレイユニット側の嵌合部を示す図であって、（ａ）は横長状態を示す図、（ｂ）は縦長状態を示す図。
【図１２】スタンドユニット側の嵌合部を示す図であって、（ａ）は上部拡大図、（ｂ）は全体図。
【図１３】ディスプレイユニットの嵌合部と、スタンドユニットの接続機構の嵌合部の嵌合状態を示す側面図。
【図１４】本発明における、ディスプレイの回転時の動作を示すフローチャート。
【図１５】本発明における、ディスプレイの回転の一例の流れを示す説明図。
【図１６】スタンドユニットの高さ調整機構の斜視図であって、（ａ）は高さ調整時の状態を示す図、（ｂ）は高さ固定状態を示す図。
【図１７】スタンドユニットの高さ調整機構の側面図であって、（ａ）は高さ調整時の状態を示す図、（ｂ）は高さ固定状態を示す図。
【図１８】本発明における、ディスプレイユニットの高さ調整動作を示すフローチャート。
【図１９】本発明における、ディスプレイユニットの高さ調整の流れを示す側面説明図。
【発明を実施するための形態】
【００１０】
以下、図面を参照して本発明を実施するための形態について説明する。なお、本明細書及び図面において、実質的に同一の機能構成を有する構成要素については、同一の符号を付し、重複する説明を省略する。
【００１１】
本発明は、ディスプレイ用スタンド、該ディスプレイ用スタンドを備えるディスプレイスタンドシステムに関するものであって、本発明のディスプレイ用スタンドが懸架可能なディスプレイとして例えば、下記のものが想定しうる。
【００１２】
ディスプレイは、例えば、ホワイトボード、黒板、カンバス等のアナログの板であってもよく、あるいは、インタラクティブ・ホワイトボード、インタラクティブフラットパネルディスプレイ、タッチパネル等の電子パネル等の入力可能な表示装置、あるいは、モニター、テレビ等の受動的な表示装置であってもよい。
【００１３】
＜全体図＞
図１は、本発明の実施形態の一例のディスプレイスタンドシステム２００を示す図である。図１において、ディスプレイ１を懸架したディスプレイ用スタンド１００の全体図とディスプレイ１を回転させた（ピボットさせた）際の動きを示している。
【００１４】
通常、会議、授業や打ち合わせ等で利用されるインタラクティブ・ホワイトボード、所謂電子黒板装置等で使用されるモニターやディスプレイ等の表示装置や入力画面であるディスプレイ１は、専用のスタンドによって懸架・保持されている。
【００１５】
上記ディスプレイ用スタンドに対する要望事項は、小さく、軽く、そして移動しやすいことである。移動しやすさの因子としてベース部（スタンドベース）３６の大きさ・重さが大きく寄与している。
【００１６】
さらに、インタラクティブ・ホワイトボードや電子黒板等のディスプレイ１は、ディスプレイ１に対して筆記も行うので、ディスプレイ用スタンド１００に対して、ある決められた荷重に対してディスプレイ１が動かないという安定性も求められる。
【００１７】
ここで、ディスプレイ用スタンド１００では、ディスプレイ１の重さ、及び最も高い状態でのディスプレイ１の最上端の高さに応じて、ベース部３６の重さ及び大きさが決定される。
【００１８】
詳しくは、ディスプレイ１に対して筆記等を行うことを想定して荷重がかかるとすると最悪条件はこの最上端の高さＨの部分に荷重がかかる条件である。ここで、最上端の高さＨとは、ディスプレイスタンドシステム２００が設置されている地面からの高さが最も高さ方向の位置、即ち、本構成では、ディスプレイの最上端の高さである。
【００１９】
このときのディスプレイにかかる荷重をＦ、ディスプレイ１とディスプレイ用スタンド１００を含めた全体のディスプレイスタンドシステム２００の重量をＭｇ、そして、ベース部３６の奥行方向におけるディスプレイスタンドシステム２００の重心位置Ｇから背面側の奥行長さをＤｂとすると、ディスプレイ１が安定するための、条件は以下（式１）を満足する必要がある。
Ｆ・Ｈ＜Ｍｇ・Ｄｂ  …（式１）
【００２０】
なお「ディスプレイが安定する」とは、前面側の最上端の部分に、筆記の際のように奥行方向に荷重Ｆが掛かった場合に、ディスプレイ用スタンド１００が後方に倒れないことを指す。
【００２１】
従って、ディスプレイ１の最上端の高さＨが高ければ高いほど、ベース部の奥行方向における重心位置から背面側の奥行長さＤｂも長くなる必要がある。
【００２２】
そこで、本発明の実施形態のディスプレイスタンドシステム２００では、ディスプレイが横長に支持された状態である横長状態から縦長に支持された状態である縦長状態に回転された場合、回転後のディスプレイの中心Ｃ'の高さが、自動的に、回転前のディスプレイの中心Ｃの高さ以下となる。即ち、ディスプレイ１の中心の高さは、図１（ａ）に示す横長状態よりも、図１（ｃ）に示す縦長状態の方が低くなるように支持している。
【００２３】
なお、中心Ｃ，Ｃ'の高さとは、ディスプレイ１の対角線が交わる点を指す。詳しくは、ディスプレイの中心Ｃ，Ｃ'の高さとは、ディスプレイ１の中心の高さ方向の位置、即ち、ディスプレイスタンドシステム２００が設置された設置面を基準とした高さ方向の位置である。
【００２４】
さらに、中心の高さが、「（長辺の長さＬＳ）−（短辺の長さＳＳ）/２」の分、下がることで、上端の高さを変化させないようにすることができる。
Ｃｄｏｗｎ＝｛（長辺の長さＬＳ）−（短辺の長さＳＳ）｝/２  …（式２）
【００２５】
Ｃｄｏｗｎは、ディスプレイ１の中心の高さの変化量（降下量）を示す。この（式２）を満たすことで、図１に示すように本発明の実施形態に係るディスプレイ用スタンド１００では、ディスプレイ１の設置状態が横長でも縦長でもそのディスプレイの最上端の高さＨが同じ位置（高さ）であるように、ディスプレイ１を懸架する。
【００２６】
そこで、本発明のディスプレイ用スタンド１００において、最上端の高さが変わらないことによる利点を、比較例と比較することで説明する。
【００２７】
＜比較例＞
図２は、比較例のディスプレイスタンドシステム８００を示す図である。図２に示す比較例に係る既存のスタンドでは、ディスプレイ１の中心Ｃを回転中心として回動することで、ディスプレイ１の設置状態を変更する構成である。
【００２８】
図２に示すディスプレイスタンドシステム８００だと、ディスプレイ１の設置状態が横長か縦長かでディスプレイ１の最上端の高さが変わり、縦長のときの方が、横長のときよりも、最上端の高さＨ'が高くなる（Ｈ'＞Ｈ）。
【００２９】
ここで、比較例に係る、ディスプレイ用スタンド９００のベース部９３６の大きさ・重さを決定する際にも、この縦長のディスプレイ１の状態で最上端の部分に対する荷重条件に耐えることが出来ることが必要になる。そのため、以下（式３）を満足する必要がある。
Ｆ・Ｈ'＜Ｍｇ・Ｄｂ'…（式３）
【００３０】
ここで、本発明の構成と、比較例の構成とを比較すると、図２に示すディスプレイ用スタンド９００が縦長状態の場合の最上端の高さＨ'は、図１に示す本発明のスタンド１００が縦長状態の場合の最上端の高さＨよりも、高くなる（Ｈ'＞Ｈ）。したがって、この高低関係を（式１）及び（式３）に当てはめると、比較例に係るベース部９３６の奥行方向におけるディスプレイスタンドシステム２００の重心位置から背面側の奥行長さＤｂ'は、本発明のベース部３６の奥行方向におけるディスプレイスタンドシステム２００の重心位置から背面側の奥行長さＤｂよりも長くなる（Ｄｂ'＞Ｄｂ）。
【００３１】
そのため、図２に示す比較例に係るスタンド構造だと、縦長の状態に備えて、スタンド９００のベース部９３６のサイズ及び重量を、大きく・重く設計しなければならない。
【００３２】
なお、ディスプレイ用スタンドの、実際の設計時にはこの条件はディスプレイ１の正面からだけではなく、横方向及び背面からの荷重にも耐え得る、ベース部３６の大きさ・重さにしておく必要がある。
【００３３】
図３は、本発明と比較例のスタンドの全体斜視図である。図３において、（ａ）は比較例のディスプレイ用スタンド９００を示し、（ｂ）は本発明方式のディスプレイ用スタンド１００を示す。図３（ａ）及び図３（ｂ）では、いずれのディスプレイ用スタンド９００，１００においても、ディスプレイ１は縦長にセットされた状態である。
【００３４】
上述のように、比較例のスタンド９００における縦長状態のディスプレイ１の最上端の高さ（Ｈ'）よりも、本発明方式のスタンド１００における縦長状態のディスプレイ１の最上端の高さ（Ｈ）の方が低くなる（Ｈ'＞Ｈ）。
【００３５】
そのため、図３に示すように、
比較例のベース部９３６の幅Ｗ'よりも本発明のベース部の幅Ｗは短くなり（Ｗ'＞Ｗ）、比較例のベース部３６の奥行Ｄ'よりも本発明のベース部の奥行Ｄは短くなる（Ｄ'＞Ｄ）となる。
【００３６】
従って図３（ｂ）に示す本発明方式のディスプレイ用スタンド１００のベース部３６の方が、図３（ａ）に示す比較例のディスプレイ用スタンド９００のベース部９３６よりも、サイズ及び重量を、小さく・軽くすることが出来る。
【００３７】
＜本発明のディスプレイ用スタンドの構成＞
図４は、本発明のディスプレイスタンドシステムの分解図を示す図である。
【００３８】
ディスプレイスタンドシステム２００は、ディスプレイ１、回転ジョイントユニット２、及びスタンドユニット３の、３つのモジュールからなる。
【００３９】
また、ディスプレイ１を懸架するためのディスプレイ用スタンド１００は、回転ジョイントユニット２及びスタンドユニット３によって構成されている。スタンドユニット３は、高さ調整機構付きの支持体である。
【００４０】
ここで、ディスプレイスタンドシステム２００の組立てについて説明する。
まず最初に、（１）で回転ジョイントユニット２を、ディスプレイ１の背面１１に取り付ける。
【００４１】
その後、（２）でディスプレイ１及び回転ジョイントユニット２からなる機構であるディスプレイユニット４を、スタンドユニット３に取り付ける。
【００４２】
この（１）、（２）の取り付けは、一番最初のセッティングのときだけ行う。
【００４３】
一旦組み付けると、ディスプレイ用スタンド１００に対してディスプレイ１は回転も昇降もできるため、スタンドユニット３に対してディスプレイ１の状態（横長/縦長の設置状態、高さ）を変えるときに、ディスプレイ１を着脱する必要がない。
【００４４】
さらに、スタンドユニット３には、支柱３１を支持するベース部３６の下にキャスター３７がついており、組立てた状態で、ディスプレイスタンドシステム２００を移動させる（運ぶ）ことができる。なお、ディスプレイ１の左右方向の角度を調整したい場合は、ディスプレイスタンドシステム２００全体の方向を、キャスター３７によって調整する。
【００４５】
また、ディスプレイ１を縦長に配置された状態にすることで、ディスプレイ１の幅は、スタンドユニット３の支柱３１Ａ，３２Ｂの間隔とほぼ同じ幅になる。そのため、展示会等のために、複数の同じ型のスタンドシステムを、荷積みして運ぶ場合も、スペースを取らずに積み込むことができる。
【００４６】
そのため、ディスプレイスタンドシステム２００の移動、ディスプレイ１の回転、昇降が組み立てたままで可能となるため、最初に組み付けた後は、例えば、ディスプレイを壁掛けにする場合など設置方法を変更する場合を除き、ディスプレイ１と、ディスプレイ用スタンド１００をバラバラにすることは想定されていない。
【００４７】
ただし、以下の説明における、動作や嵌合の説明のために、各ユニット内を分解して図示することもありうる。
【００４８】
図５は、ディスプレイ１に対して回転ジョイントユニット２を取りつける図である。図５において、（ａ）は図４（ａ）における、手順（１）の取りつけを示し、（ｂ）は手順（１）の後であって、手順（２）の前のディスプレイユニットの背面図である。
【００４９】
手順（１）で、ディスプレイ１の背面１１に対して、回転ジョイントユニット２を取りつける際、図５（ｂ）に示すように、ネジ２９ａ，２９ｂ，２９ｃ，２９ｄによってねじ止めすることで、取りつける。
【００５０】
ディスプレイ１の背面１１側に穴が４か所あれば、回転ジョイントユニット２をネジによって取りつけることができるため、ディスプレイ１において、本発明のディスプレイ用スタンド１００を取りつけるための追加構成は不要である。
【００５１】
（１）の組み立て後は、図５（ｂ）に示すように、ディスプレイユニット４は、ディスプレイ１及び回転ジョイントユニット２によって構成されている。
【００５２】
図６は、ディスプレイユニット４を、スタンドユニット３に取り付ける状態を示す図である。
【００５３】
スタンドユニット３は、支柱３１（３１Ａ，３１Ｂ）と、梁部３２（３２Ａ，３２Ｂ）と、接続機構３３と、アーム固定部３４（３４Ａ，３４Ｂ）と、ダンパー３５（３５Ａ，３５Ｂ）と、ベース部３６と、キャスター３７を備えている（図１２参照）。
【００５４】
ディスプレイユニット４の取りつけの際、まず、ディスプレイユニット４を上方からスタンドユニット３に近づけて、図６（ａ）に示すように、ディスプレイユニット４の上段接続ポール２３１に設けられた下に開口するフック形状の嵌合溝２３２，２３３を、スタンドユニット３側の嵌合軸３３１，３３２に嵌合させる。
【００５５】
そして、ディスプレイユニット４の下端付近を押し込むことで、ディスプレイユニット４に設けられた第１可動嵌合穴２１４に、スタンドユニット３側の嵌合スタッド３３４が挿入して嵌合する（図６（ｂ）⇒図６（ｃ））。このとき、ディスプレイユニット４に設けられた固定嵌合穴２３５に、スタンドユニット３側の嵌合スタッド３３３が挿入して嵌合する。（図１１、図１２参照）。
【００５６】
このように、回転ジョイントユニット２を含むディスプレイユニット４を、接続機構３３及びアーム固定部３４を備えるスタンドユニット３に取り付けることによって、ディスプレイの最上端の高さは不変のまま、ディスプレイ１の設置状態を、横長と縦長とで回転自在に変更可能になり、且つ、ディスプレイユニット４を、着脱無しに軽い力で高さを変更することが可能となる。
【００５７】
ディスプレイスタンドシステム２００において、ディスプレイ１の回転機能（ピボット機能）のための嵌合、構造及び動作については、下記、図７〜図１５を用いて説明し、ディスプレイ１の高さ調整のための嵌合、構造及び動作については、図１６〜図１９を用いて説明する。
【００５８】
＜回転ジョイントユニットの構成＞
図７は、ディスプレイユニット４の裏面に取り付けられる回転ジョイントユニット２の三重構造を説明する分解斜視図である。
【００５９】
回転ジョイントユニット２は、ディスプレイブラケット２１と、ガイドユニット２２と、嵌合機構２３とを備える、三重構造になっている。そして、回転ジョイントユニット２において、ディスプレイ１に固定され、ディスプレイ１とともに回転するディスプレイブラケット２１が可動部α、スタンドユニット３に固定されるガイドユニット２２及び嵌合機構２３が固定部βとして機能する。
【００６０】
図７において、（ａ）はディスプレイユニット４の背面図であり、（ｂ）はディスプレイ１の背面にディスプレイブラケット２１を取りつけた図であり、（ｃ）はガイドユニット２２を示す図であり、（ｄ）は嵌合機構２３を示す図である。
【００６１】
なお、図７（ｂ）〜（ｄ）では、内部構成の説明のために回転ジョイントユニット２を分解した図を示しているが、実際の組立て時や使用時においても、回転ジョイントユニット２は分解されることはない。
【００６２】
ディスプレイブラケット２１は、ディスプレイ１が横長状態で逆向き略Ｔ字型形状であり、図７（ｂ）の逆向きＴ字の右下側の端部付近には、第１可動嵌合穴２１４が設けられ、上端付近には第２可動嵌合穴２１５が形成されている。
【００６３】
図７（ｄ）を参照して、嵌合機構２３は、上段接続ポール２３１と、下段接続ポール２３４と、垂直接続ポール２３６とを有している。上段接続ポール２３１及び下段接続ポール２３４は、互いに平行に水平に延伸している。上段接続ポール２３１は、下段接続ポール２３４よりも長く延伸しており、例えば、図７（ｄ）の例では、上段接続ポール２３１は、下段接続ポール２３４の約２倍の長さである。垂直接続ポール２３６は、略垂直に延伸し、上段接続ポール２３１と、下段接続ポール２３４とを連結している。
【００６４】
図８は、本発明の回転ジョイントユニット２の可動部αと、固定部βとを分解した仮想分解説明図である。
【００６５】
図８において、（ａ）は、ディスプレイ１に、分解した可動部αであるディスプレイブラケット２１を取りつけたと仮定した図、（ｂ）はスタンドユニット３に、分解した固定部βであるガイドユニット２２及び嵌合機構２３を取りつけたと仮定した図である。
【００６６】
図８（ａ）を参照して、ディスプレイ１に取り付けられた、回転ジョイントユニット２の可動部αであるディスプレイブラケット２１には、ディスプレイ１の背面１１に対して、垂直に起立する３つのスタッド２１１，２１２，２１３が設けられている。３つのスタッド２１１，２１２，２１３は、ディスプレイブラケット２１と、ガイドユニット２２とを連結する前に、ディスプレイブラケット２１にカシメられて、固定されている。
【００６７】
図７（ｂ）及び図８（ｂ）を参照して、固定部βの一部であるガイドユニット２２は、ガイド板２２１と、延伸板２２２と、を有している。ガイド板２２１には、３つの溝状のガイド孔であるレール部Ｒ１，Ｒ２，Ｒ３が形成されている。
【００６８】
ガイド板２２１において、第１のレール部Ｒ１は、直線状であって垂直に近い方向に延伸している。第２のレール部Ｒ２は、第１のレール部Ｒ１と対向した位置にあり、曲線状である。第３のレール部Ｒ３は、第１のレール部Ｒ１及び第２のレール部Ｒ２と連接する直線状であって第１のレール部Ｒ１と同じ長さである。
【００６９】
図９は、回転ジョイントユニット２に含まれる引っ張りスプリング２６を説明する図である。図９において、（ａ）は、横長状態のディスプレイ１に、ディスプレイブラケット２１と、ガイドユニット２２が取りつけられたと仮定した斜視図を示し、（ｂ）は、（ａ）のディスプレイブラケット２１とガイドユニット２２の嵌合を別の角度から見た図である。
【００７０】
回転ジョイントユニット２において、ディスプレイブラケット２１と、ガイドユニット２２とを接続するための接続部材として、スペーサー２４ａ，２４ｂ，２４ｃと、Ｅリング２５ａ，２５ｂ，２５ｃと、スプリング２６が設けられている。
【００７１】
ディスプレイ１に直接取りつけられるディスプレイブラケット２１に設けられたスタッド２１１，２１２，２１３が、ガイド板２２１に形成された３つのレール部Ｒ１、Ｒ２、Ｒ３の溝形状を貫通した後、スペーサー２４ａ，２４ｂ，２４ｃと、Ｅリング２５ａ，２５ｂ，２５ｃによって締結される。
【００７２】
レール部Ｒ１，Ｒ２，Ｒ３の形状によって、３箇所のうち２箇所のスタッド２１１，２１３は直線上に移動可能な状態になり、残り一箇所のスタッド２１２はその軌跡によって決まる曲線状のレール形状に沿った移動可能な状態になる。
【００７３】
曲線状の第２のレール部Ｒ２に嵌合するスタッド２１２には、フック形状を有したフック付きスペーサー２４ｂによって嵌合され、そのフック形状が、引っ張りスプリング２６等の付勢部材によって張力が付与される。
【００７４】
図１０は、ディスプレイ１回転時の回転ジョイントユニット２のスタッド２１１，２１２，２１３の動きを示す説明図である。
【００７５】
図１０において、（ａ）、（ｂ）、（ｃ）は、ディスプレイ１に、ディスプレイブラケット２１と、ガイドユニット２２を取りつけたと仮定した全体図であり、（ｄ）、（ｅ）、（ｆ）は、ディスプレイブラケット２１と、ガイドユニット２２の嵌合の状態を示す拡大図である。
【００７６】
図１０において、（ａ）、（ｄ）はディスプレイ１が横長の状態を示し、（ｂ）、（ｅ）はディスプレイ１が回転中の状態を示し、（ｃ）、（ｆ）はディスプレイ１が縦長の状態を示す。
【００７７】
ガイド板２２１のレール部では、垂直に近く傾斜した直線状の区間である第１のレール部Ｒ１、第１のレール部Ｒ１と連接し、水平に近く傾斜した直線状の区間である第３のレール部Ｒ３、第３のレール部Ｒ３と連接し、湾曲した区間である第２のレール部Ｒ３を有している。
【００７８】
図１０（ｄ），（ｅ），（ｆ）に示すように、ディスプレイ１の状態を横長から縦長に変更する際、レール部の形状に従って３箇所のうちの２箇所のスタッド２１１，２１３は直線上の動きとなる。残り一箇所のスタッド２１２は曲線状のレール形状に沿った可動域になる。
【００７９】
詳しくは、レール部Ｒ３は、中心Ｃ（図１参照）に近い位置に設けられるスタッド２１１を可動回転軸として、直線状のレール部Ｒ１に沿って移動させながらディスプレイ１を回転させたときの、スタッド２１１よりも下側の頂点に近い位置に設けられた、スタッド２１２が辿る軌跡と合致するように、曲線状に設けられている。
【００８０】
この箇所のスタッド（第２の固定部材）２１２には、フック形状を有したフック付きスペーサー２４ｂによって嵌合さており、スペーサー２４ｂのフック形状が引っ張りバネであるスプリング２６によって張力ｆが付与されている。スプリング２６の他端は、固定部β側のガイド板２２１のバネ固定具２２３に接続されている。
【００８１】
スプリング２６が設けられていることで、ディスプレイ１が、図１０（ｄ）の横長、及び図１０（ｆ）の縦長のそれぞれの状態のときに、ディスプレイ１の状態を変更するためにはスプリング２６を伸ばす回転方向に負荷をかける必要があるため、例えば、筆記の際に、横方向又は縦方向の力がかかっても、スプリング２６は伸びずにディスプレイ１は回転しないため、横長、縦長のそれぞれの状態を安定して維持できる。
【００８２】
また、図１０（ｅ）に示すディスプレイが横長でもなく縦長でもない状態のときには、スプリング２６の張力ｆによる働きで、ディスプレイ１が横長か縦長かどちらかの状態へ自然と促すことが出来、より安定な状態に近づける。
【００８３】
詳しくは、スプリング２６は、回動途中状態において、バネ固定具２２３とフック付きスペーサー２４ｂに連結するスプリング２６が最も長くなり、張力ｆが最も大きくなる閾値位置ＴＨを境にして、ディスプレイ１を横長又は縦長のどちらかの状態になるように張力を付勢し、ディスプレイ１が、状態が安定する位置へ回転が促される。そのため、回転の際は、ユーザーはスプリング２６が閾値を超えるまで回転力を加えれば、その後は、スプリング２６の力により、ディスプレイ１は自動的に回転する。
【００８４】
ここで、図１０の例では、ディスプレイ１の中心Ｃは、左右方向の中心線上にあるディスプレイブラケット２１の中央延伸部上に位置するため、図１０（ａ）の状態では、スタッド２１１が、同一垂直線上であって、中心Ｃの下側に設けられている。そのため、仮に、図１０（ａ）のスタッド２１１を、固定の回転中心と仮定した場合は、回転後は距離Ｄの分、ディスプレイ１の中心が下がることなる。
【００８５】
そして、第１のレール部Ｒ１の垂直方向の長さをＬｒとすると、スタッド２１１を可動の回転中心として、ディスプレイ１を横長状態から縦長状態へ回転させると、図１０（ａ）及び図１０（ｃ）を参照として、Ｌｒ＋Ｄの分、ディスプレイの中心Ｃが下がることになる（Ｃ⇒Ｃ'、Ｃｄｏｗｎ＝Ｄ＋Ｌｒ）。なお、スタッド２１１（第１の固定部材）が、図１０のように横長状態においてディスプレイの中心Ｃの下側に設けられている場合は、第１のレール部の垂直方向の長さ（高さ）Ｌｒと、第１の固定部材と中心との距離Ｄとの大小関係に制限はない（Ｌｒ＞Ｄ，Ｌｒ＜Ｄ，Ｌｒ＝Ｄ）。
【００８６】
なお、本例では、横長状態において、第１の固定部材であるスタッド２１１は、ディスプレイ１の中心Ｃより下側に設けられている例を示しているが、可動回転中心となる第１の固定部材が、横長状態で中心Ｃより上側に設けられている構成であってもよい。
【００８７】
横長状態でディスプレイ１の中心位置より上側にある第１の固定部材を固定の回転中心と仮定した場合は、回転後は距離Ｄの分、ディスプレイ１の中心が上がることなる。そして、第１のレール部Ｒ１の垂直方向の長さを上記同様にＬｒ、第１の固定部材を可動の回転中心として、ディスプレイ１を横長状態から縦長状態へ回転させると、（Ｌｒ−Ｄ）の分、ディスプレイ１の中心の高さ（高さ方向の位置）が上下方向で変化することになる。
【００８８】
そのため、第１の固定部材が横長状態で中心位置より上側に設けられている場合において、最低限、回転後のディスプレイ１の中心の高さが、回転前のディスプレイ１の中心の高さ以下となるためには、ディスプレイ１の中心位置から第１の固定部材までの距離Ｄ以上、回転の前後で第１の固定部材の高さが下がればよい。即ち第１のレール部の垂直方向の長さ（高さ）Ｌｒは、中心Ｃと第１の固定部材との距離Ｄ以上であればよい（Ｃｄｏｗｎ＝Ｌｒ−Ｄ、Ｌｒ＞Ｄ）。
【００８９】
さらに、第１の固定部材は、ディスプレイ１の中心位置に設けられていてもよい。
【００９０】
また、図１０に示したように、ディスプレイ１回転時に、回転の際の可動回転中心となるスタッド２１１（第１の固定部材）は第１のレール部Ｒ１に沿って下がるように移動する際には、スタッド２１２（第２の固定部材）が第２のレール部Ｒ２に沿って上がるように移動する。
【００９１】
この際、ディスプレイ１の回転前後で、スタッド２１１が、垂直方向移動量Ｌｒの分、降下し、スタッド２１２がスタッド２１１の降下量と同じ垂直方向移動量Ｌｒの分、上昇する。
【００９２】
この際、スタッド２１２（第２の固定部材）が曲線状のレール部Ｒ２に沿って移動することで、スタッド２１１を可動回転中心として可動部αを固定部βに対して回転させる際に、ガイド板２２１に対するディスプレイ１の左右方向における回転の位置を規制する。
【００９３】
さらに、スタッド２１１とスタッド２１２の少なくとも２点で可動部αを固定部βとを連結することで、回転の際に、ガイド板２２１とディスプレイ１の背面１１との平行状態を維持することができる。
【００９４】
このように回転ジョイントユニット２を構成することで、ディスプレイ用スタンド１において、追加の高さ調整動作なしで、ディスプレイ１を横長状態から縦長状態へ回転させる際に、回転前後のディスプレイ１の最上端の高さ変動を少なくすることができる。
【００９５】
さらに、スタッド２１１は、上下方向において（（ディスプレイ１の長辺の長さＬＳ−短辺の長さＳＳ）/２）以上、回転の前後で下がり、スタッド２１２は、上下方向において、（（ディスプレイ１の長辺の長さＬＳ−短辺の長さＳＳ）/２）以上、回転の前後で上がると、さらに好適である。
【００９６】
このように構成することで、回転後の縦長状態のディスプレイ１の最上部の高さが、自動的に、回転前の横長状態のディスプレイ１の最上部の高さ以下になる。したがって、本スタンドシステムでは、別の高さ調整動作をしなくても、ディスプレイを横長状態及び縦長状態に懸架した場合とで最上端の高さが変わらない状態で回動する構成を達成することができる。
【００９７】
これにより、回転前後においても、最上部への書きやすい高さを維持するとともに、スタンドが倒れやすくならないようにすることができる。
【００９８】
なお、第３の固定部材であるスタッド２１３は、第３のレール部Ｒ３に沿って移動可能であり、可動部αを、固定部βに対して回転移動させるための連結の補強として用いられる。
【００９９】
そのため、本例では、３つのスタッド２１１，２１２，２１３が設けられる例を示しているが、少なくとも連結のための固定部材として、スタッド２１１，２１２の２つを有していればよい。２つのスタッド２１１，２１２があれば、可動回転中心と、回転ジョイントユニット２において、可動部αと固定部βを連結して、可動部αを、固定部βに対して回転移動させることができる。また、この場合は、ガイド板２２１側には、直線状の第１のレール部Ｒ１と、曲線状の第２のレール部Ｒ２が形成されていればよい。
【０１００】
＜ディスプレイユニットとスタンドユニットとの嵌合＞
図１１は、ディスプレイユニット４側の嵌合部を示す図であって、（ａ）は横長状態を示す図、（ｂ）は縦長状態を示す図である。図１２は、スタンドユニット３側の嵌合部を示す図であって、（ａ）は、上部拡大図、（ｂ）は、スタンドユニット３の全体図である。
【０１０１】
図１１、図１２を参照して、ディスプレイユニット４における、嵌合機構２３の、上段接続ポール２３１には、下側に開口するフック形状の嵌合溝２３２，２３３が設けられ、下段接続ポール２３４には、嵌合穴（固定嵌合穴）２３５が設けられている。
【０１０２】
さらに、ディスプレイユニット４における、ディスプレイブラケット２１には、横長状態の際に嵌合する第１可動嵌合穴２１４と、縦長状態の際に嵌合する第２可動嵌合穴２１５が設けられている。
【０１０３】
嵌合機構２３は、回転しない固定部β側にあるため、ディスプレイ１が縦長状態でも横長状態でも、嵌合溝２３２，２３３、及び固定嵌合穴２３５は不変の嵌合部であり、これらの嵌合部同士の位置関係は変わらない。
【０１０４】
ディスプレイブラケット２１は、ディスプレイ１とともに回転する可動部であるため、第１可動嵌合穴２１４と、第２可動嵌合穴２１５のそれぞれの位置は、回転に伴って変化する。しかし、縦長状態のときの、嵌合溝２３２，２３３、固定嵌合穴２３５に対する、第２可動嵌合穴２１５の位置は、横長状態のときの、嵌合溝２３２，２３３、固定嵌合穴２３５に対する、第１可動嵌合穴２１４の位置と同じ位置に至るように構成されている。
【０１０５】
よって、ディスプレイ１が横長状態のときの、嵌合溝２３２，２３３、固定嵌合穴２３５と、第１可動嵌合穴２１４の４つの嵌合部の位置関係は、ディスプレイ１が縦長状態のときの、嵌合溝２３２，２３３、固定嵌合穴２３５と、第２可動嵌合穴２１５の４つの嵌合部の位置関係は、変わらない構成である。
【０１０６】
一方、図１２に示すように、スタンドユニット３の接続機構３３の左右の接続アーム３３Ａ，３３Ｂの上端には、ディスプレイユニット４の嵌合機構２３の嵌合溝２３２，２３３と嵌合するための嵌合軸３３１，３３２が設けられている。嵌合軸３３１，３３２は、例えば、ディスプレイ１の背面１１と略平行になるように水平方向に延伸する棒状の形状であって、下側から支持されている。
【０１０７】
また、右側の接続アーム３３Ｂの下部近傍には、嵌合機構２３の固定嵌合穴２３５と嵌合するための嵌合スタッド３３３が設けられている。
【０１０８】
一方、左側の接続アーム３３Ａの下部近傍に対して、突出部３３５がディスプレイ１の中央側（内側）に延在し、ディスプレイ１の背面１１に近づくように突出して取りつけられている。そして、この突出部３３５に、ディスプレイブラケット２１の可動嵌合穴２１４又は２１５と嵌合するための嵌合スタッド３３４が設けられている。
【０１０９】
図１３は、ディスプレイユニット４の嵌合部と、スタンドユニット３の接続機構の嵌合部の嵌合状態を示す側面図である。図１３において、（ａ）は全体側面図、（ｂ）は嵌合機構２３と接続機構３３の拡大側面図、（ｃ）は嵌合スタッド３３３と固定嵌合穴２３５との拡大側面図である。
【０１１０】
図１３に示すように、ディスプレイユニット４の上段接続ポール２３１に設けられた嵌合溝２３２，２３３と、スタンドユニット３側の嵌合軸３３１，３３２とを嵌合させる。
【０１１１】
その後、スタンドユニット３側の接続アーム３３Ｂに設けられた嵌合スタッド３３３と、ディスプレイユニット４側の下段接続ポール２３４に設けられた固定嵌合穴２３５が嵌合し、接続アーム３３Ａの嵌合スタッド３３４と、ディスプレイブラケット２１の第１可動嵌合穴２１４が嵌合する。
【０１１２】
図１３に示した嵌合状態により、スタンドユニット３の接続機構３３に対してディスプレイユニット４が固定される。
【０１１３】
（回転手順）
図１４は、ディスプレイの回転時の動作を示すフローチャートである。図１５は、本発明において、ディスプレイの回転の一例の流れを示す説明図である。
【０１１４】
図１４及び図１５を用いて、ディスプレイ１の設置状態を変更する際の手順を説明する。本例では、ディスプレイ１の設置状態を横長から縦長する場合を説明する。なお、図１５の（ｃ）、（ｄ）、（ｅ）では、上段は前面方向から見た図、下段は背面方向から見た図である。
【０１１５】
最初に、ディスプレイ１が横長にセットされた状態（横長設置）（Ｓ０、図１５（ａ））から、Ｓ１で、ディスプレイ１の下端を手前に引く。これによりディスプレイ１の下端が持ち上がる際、ディスプレイ１が傾いて、ディスプレイユニット４に設けられた嵌合溝２３２，２３３が、スタンドユニット３側に設置されている接続アーム３３Ａ，３３Ｂに設けられた嵌合軸３３１，３３２との嵌合中心を軸として回動する。
【０１１６】
これにより、スタンドユニット３側の接続アーム３３Ｂの嵌合スタッド３３３とディスプレイユニット４に設けられた固定嵌合穴２３５との嵌合状態、及びスタンドユニット３側の接続アーム３３Ａの嵌合スタッド３３４とディスプレイユニット４に設けられた第１可動嵌合穴２１４との嵌合状態が、外れた状態になる（図１５（ａ）⇒（ｂ），（ｃ））。
【０１１７】
そして、矢印の方向に力をかけることで、ディスプレイ１を回転させる（Ｓ２、図１５（ｃ）⇒（ｄ））。
【０１１８】
図１５（ｄ）のような変更途中の状態では、図１０（ｅ）に示した回転の閾値位置ＴＨを超えると、スプリング２６による引っ張り方向の張力ｆにより、ディスプレイ１を横長から縦長の方へ自然と動きが促される。その促された力に沿って、ディスプレイ１がさらに回転すると、最上端の高さは変わらないまま、ディスプレイ１の状態を横長から縦長に変更できる（Ｓ３、図１５（ｄ）⇒（ｅ），（ｆ））。
【０１１９】
ディスプレイ１を縦長状態にした後、Ｓ４でディスプレイ１の下端を奥に押し込む。これにより、再び、スタンドユニット３側の接続アーム３３Ｂに設けられた嵌合スタッド３３３とディスプレイユニット４の下段接続ポール２３４に設けられた固定嵌合穴２３５とが嵌合する。同時に、スタンドユニット３の接続アーム３３Ａの嵌合スタッド３３４と、ディスプレイブラケット２１の第２可動嵌合穴２１５とが嵌合する（図１５（ｆ）⇒（ｇ））。
【０１２０】
これにより、ディスプレイユニット４が、スタンドユニット３に対して固定された状態になり、ディスプレイ１の縦長状態のセット（縦長設置）が完了する（Ｓ５）。
【０１２１】
このように、ディスプレイ１の着脱無しで、ディスプレイ１を横長に懸架した場合と縦長に懸架した場合とで最上端の高さが変わらない状態で回動することができる。
【０１２２】
さらに、本構成では、力も殆ど必要としないで容易にディスプレイの高さをシチュエーションに応じて適正な高さに調整することもできる。そのしくみについて下記説明する。
【０１２３】
＜高さ調整＞
図１６は、スタンドユニット３に設けられる高さ調整機構の斜視図であって、（ａ）は高さ調整時の状態を示す図、（ｂ）は高さ固定状態を示す図である。図１７は、スタンドユニット３に設けられる高さ調整機構の側面図であって、（ａ）は高さ調整時の状態を示す図、（ｂ）は高さ固定状態を示す図である。
【０１２４】
ここで、高さ調整機構を構成する接続アーム３３Ａ，３３Ｂ及びアーム固定部３４Ａ，３４Ｂは、左側、右側の高さ調整機構（３３Ａ，３４Ａ）、（３３Ｂ，３４Ｂ）の昇降に関する部分は、左右反転した、ほぼ同様の構成を有し、左右で対になっているため、図の手前側である接続アーム３３Ｂ及びアーム固定部３４Ｂを例として、下記、高さ調整に係る詳細構成について説明する。
【０１２５】
図１６（ａ）、図１７（ａ）に示すように、スタンドユニット３において、図１２で示した嵌合部に加え、接続機構３３である接続アーム３３Ｂは、夫々、嵌合フック３３６Ｂ、回転軸３３７Ｂ、可動スライド孔３３８Ｂ、ストッパー３３９Ｂを備えている。
【０１２６】
また、アーム固定部３４Ｂは、上段の嵌合穴３４１Ｂ、中段の嵌合穴３４２Ｂ、下段の嵌合穴３４３Ｂ、及び固定スライド孔３４４Ｂを備えている。
【０１２７】
接続アーム３３Ｂは、アーム固定部３４Ｂに対して下端の回転軸３３７Ｂを中心に枢動可能且つ昇降可能な構成である。ストッパー３３９Ｂは、一端が接続アーム３３Ｂの可動スライド孔２２８Ｂにスライド可能に連結され、他端がアーム固定部３４Ｂの固定スライド孔３４４Ｂにスライド可能に連結されることで、接続アーム３３Ｂの枢動の回転量を規制する。
【０１２８】
また、接続アーム３３Ｂの支柱３１Ｂ側に設けられた嵌合フック３３６Ｂ、支柱３１Ｂに固定されたアーム固定部３４の複数の嵌合穴３４１Ｂ，３４２Ｂ，３４３Ｂのいずれかに嵌合する構成である。
【０１２９】
嵌合フック３３６Ｂが、どの高さの嵌合穴３４１Ｂ，３４２Ｂ，３４３Ｂに嵌合するかで、嵌合機構２３を含むディスプレイユニット４の高さが決まる。即ち、嵌合用フック対（３３６Ａ，３３６Ｂ）を、スタンドユニット３の接続機構３３に設けられた複数の嵌合穴対（３４１Ａ，３４１Ｂ）、（３４２Ａ，３４２Ｂ）、（３４３Ａ，３４３Ｂ）の中から１つの嵌合穴対を選択して嵌合させることによって、回転ジョイントユニット２が取り付けられたディスプレイ１の高さを変更できる。
【０１３０】
そして、図１５（ｂ）、図１６（ｂ）に示すように、嵌合フック３３６Ｂが、いずれかの嵌合穴３４１Ｂ、３４２Ｂ、又は３４３Ｂに嵌合した状態だと、接続アーム３３Ｂは、アーム固定部３４Ｂに固定され、ディスプレイユニット４は、スタンドユニット３と連結されて、完全に懸架された状態になる。
【０１３１】
一方、図１５（ａ）、図１６（ａ）に示すように、接続アーム３３Ｂがアーム固定部３４Ｂに対して傾いており（回転しており）、嵌合フック３３６Ｂが、嵌合穴３４１Ｂ，３４２Ｂ，３４３Ｂのいずれにも嵌合していない状態だと、ディスプレイユニット４は、スタンドユニット３に対して、回転軸３３７Ｂ及びストッパー３３９Ｂのみで保持されるため、スタンドユニット３に対して、ディスプレイユニット４の高さを昇降させることができる。
【０１３２】
ここで、接続アーム３３Ｂの回転軸３３７Ｂは、スタンドユニット３の支柱３１Ｂに保持されたガススプリング等のダンパー３５Ｂによって支持されている。即ち、接続アーム３３Ａ，３３Ｂが、ダンパー３５Ａ，３５Ｂを介して支柱３１Ａ，３１Ｂと組み付けられている。そのため、ディスプレイユニット４の上端が手前に来るように傾けて、接続アーム３３Ｂがアーム固定部３４Ｂに対して回動した状態では、高さ方向に変位可能なダンパー３５Ｂがディスプレイユニット４の荷重を支えた状態で、ディスプレイユニット４の高さを上下に調整可能となる。
【０１３３】
このように、スタンドユニット３において、接続アーム３３Ａ，３３Ｂとアーム固定部３４Ａ，３４Ｂによりディスプレイ１を着脱せずに、ディスプレイ１の高さを調整可能となり、ダンパー３５Ａ，３５Ｂにより、高さを調整する際手動ではあるが力は殆ど必要としない。
【０１３４】
なお、本例では、複数の嵌合穴として、３つの異なる位置に設けられた、嵌合穴３４１Ｂ，３４２Ｂ，３４３Ｂの例を示しているが、嵌合穴の数は複数であれば、２つであってもよいし、４つ以上であってもよい。
【０１３５】
（高さ調整手順）
図１８は、本発明における、ディスプレイユニット４の高さ調整動作を示すフローチャートである。図１９は、本発明における、ディスプレイユニット４の高さ調整の流れを示す側面説明図である。
【０１３６】
図１８及び図１９を用いて、ディスプレイユニット４の高さを調整する際の手順を説明する。
【０１３７】
詳しくは、図１９は、ディスプレイユニット４が、一番高い位置から、一番低い位置への降下させる際の手順を示している。
【０１３８】
図１９（ａ）に示す、ディスプレイユニット４が、一番高い位置（第１の高さ）にある状態において（Ｓ１０）、まずディスプレイユニット４を、上端を手前方向に持ち上げる（傾ける）ことで、スタンドユニット３において、嵌合している嵌合フック３３６Ｂを、支柱３１Ｂ側のアーム固定部３４Ｂの嵌合穴３４１Ｂ（第１の嵌合穴）から外す（Ｓ１１、図１９（ｂ））。
【０１３９】
このとき、ディスプレイユニット４が、傾き過ぎた際には、接続アーム３３Ｂをストッパー３３９Ｂが支え、ディスプレイユニット４の自重はガススプリング等のダンパー３５Ｂが支えた状態なのでユーザーは重さをさほど感じない。そして、仮に手を離してもディスプレイユニット４は左右のダンパー３５Ａ，３５Ｂとストッパー３３９Ａ，３３９Ｂによって支えられて脱落することはない設計となっている。
【０１４０】
このようにディスプレイユニット４の自重はダンパー３５Ａ，３５Ｂに支えられた状態で、ユーザーがディスプレイユニット４を下方に力をかけることで、ディスプレイユニット４は下方に移動する（Ｓ１２、図１９（ｂ）⇒（ｃ））。
【０１４１】
そして、嵌合フック３３６Ｂが、下方にある嵌合穴３４３Ｂに対向する位置まで到達すると、嵌合フック３３６Ｂを嵌合穴３４３Ｂ（第２の嵌合穴）に嵌合する。この嵌合により、ディスプレイユニット４は、一番低い位置（第２の高さ）で、スタンドユニット３に対して固定される（図１９（ｄ））。
【０１４２】
このように、スタンドユニット３に設けられた、接続アーム３３Ａ，３３Ｂと、アーム固定部３４Ａ，３４Ｂの機能により、ディスプレイ１の高さを低い位置に変更することが出来る。
【０１４３】
なお、ディスプレイ１を低い位置から高い位置に高さを変更する場合は、Ｓ１２において、ユーザーがディスプレイユニット４を上方に引き上げるように力をかけることで、ディスプレイユニット４は上方に移動する（図１９（ｃ）⇒（ｂ））。その他の順序は、図１８と同様である。
【０１４４】
このように、支持体であるスタンドユニット３側に高さ調整機能が設けられているため、ディスプレイ１の着脱無しで、また力も殆ど必要としないでユーザーは使用中に容易に、ディスプレイ１の高さ方向の位置をシチュエーションに応じて適正な高さに調整することができる。
【０１４５】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【符号の説明】
【０１４６】
１  ディスプレイ
２  回転ジョイントユニット
３  スタンドユニット
４  ディスプレイユニット
１１  背面
１２ａ，１２ｂ，１２ｃ，１２ｄ  ネジ穴
２１  ディスプレイブラケット
２２  ガイドユニット
２３  嵌合機構
２４ａ，２４ｃ  スペーサー
２４ｂ  フック付きスペーサー
２６  スプリング
３１（３１Ａ，３１Ｂ）  支柱
３２（３２Ａ，３２Ｂ）  梁部（補強部）
３３  接続機構
３３Ａ，３３Ｂ  接続アーム
３４Ａ，３４Ｂ  アーム固定部
３５  ダンパー
３６  ベース部
３７  キャスター
２１１  スタッド（固定部材、第１の固定部材）
２１２  スタッド（固定部材、第２の固定部材）
２１３  スタッド（固定部材、第３の固定部材）
２１４  第１可動嵌合穴
２１５  第２可動嵌合穴
２２１  ガイド板
２２２  延伸板
２３１  上段接続ポール
２３２  嵌合溝
２３３  嵌合溝
２３４  下段接続ポール
２３５  固定嵌合穴
Ｃ  ディスプレイの中心
Ｇ  ディスプレイスタンドシステムの重心
Ｒ１  レール部（第１のレール部）
Ｒ２  レール部（第２のレール部）
Ｒ３  レール部（第３のレール部）
１００  ディスプレイ用スタンド
２００  ディスプレイスタンドシステム
Ｃ  横長状態のディスプレイの中心
Ｃ'  縦長状態のディスプレイの中心
Ｃｄｏｗｎ  ディスプレイの中心の高さの変化量
Ｄ  ベース部の奥行長さ
Ｄｂ  ベース部の奥行方向における重心位置から背面側の奥行長さ
Ｇ  ディスプレイスタンドシステムの重心
Ｍｇ  ディスプレイスタンドシステムの重量
ＬＳ  ディスプレイの長辺の長さ
ＳＳ  ディスプレイの短辺の長さ
α  可動部
β  固定部
【先行技術文献】
【特許文献】
【０１４７】
【特許文献１】特表平６−５０７５５７号公報
【図１】
2019219540.tif 000003
【図２】
2019219540.tif 000004
【図３】
2019219540.tif 000005
【図４】
2019219540.tif 000006
【図５】
2019219540.tif 000007
【図６】
2019219540.tif 000008
【図７】
2019219540.tif 000009
【図８】
2019219540.tif 000010
【図９】
2019219540.tif 000011
【図１０】
2019219540.tif 000012
【図１１】
2019219540.tif 000013
【図１２】
2019219540.tif 000014
【図１３】
2019219540.tif 000015
【図１４】
2019219540.tif 000016
【図１５】
2019219540.tif 000017
【図１６】
2019219540.tif 000018
【図１７】
2019219540.tif 000019
【図１８】
2019219540.tif 000020
【図１９】
2019219540.tif 000021